(57)【要約】【課題】蓄電池から放電される電力の種類を電力供給会社が制御できるようにすることを目的とする。【解決手段】優先度付加装置は、需要家が有する蓄電池に関する蓄電池情報を取得する蓄電池情報取得部と、前記蓄電池が充電することが可能な電力と、放電することが可能な電力とのうち、少なくとも１つを示す電力情報を取得する電力情報取得部と、前記蓄電池情報取得部が取得した前記蓄電池情報と、前記電力情報取得部が取得した前記電力情報と、前記蓄電池が充電又は放電する電力の基準を示す電力基準情報とに基づいて、前記蓄電池が充電又は放電する電力に優先度を付加する優先度付加部と、を備える。【選択図】図１
2018186607.tif 000002
【特許請求の範囲】
【請求項１】
需要家が有する蓄電池に関する蓄電池情報を取得する蓄電池情報取得部と、
前記蓄電池が充電することが可能な電力と、放電することが可能な電力とのうち、少なくとも１つを示す電力情報を取得する電力情報取得部と、
前記蓄電池情報取得部が取得した前記蓄電池情報と、前記電力情報取得部が取得した前記電力情報と、前記蓄電池が充電又は放電する電力の基準を示す電力基準情報とに基づいて、前記蓄電池が充電又は放電する電力に優先度を付加する優先度付加部と、
を備える優先度付加装置。
【請求項２】
前記電力基準情報とは、
前記蓄電池が蓄電する電力の価格を示す価格情報と、前記蓄電池が電力を放電する際の効率と、充電する際の効率と、充電した電力を放電する際の効率とのうち、少なくとも一つを示す効率情報と、前記蓄電池の劣化の程度を示す劣化情報と、前記蓄電池が電力を蓄電することによって排出される二酸化炭素の量を示す二酸化炭素情報とのうち、少なくとも１つを含む
請求項１に記載の優先度付加装置。
【請求項３】
前記電力情報とは、前記蓄電池が充放電することが可能な電力の予測を示す情報である
請求項１又は請求項２に記載の優先度付加装置。
【請求項４】
コンピュータに、
需要家が有する蓄電池に関する蓄電池情報を取得する蓄電池情報取得ステップと、
前記蓄電池が充電することが可能な電力と、放電することが可能な電力とのうち、少なくとも１つを示す電力情報を取得する電力情報取得ステップと、
前記蓄電池情報取得ステップが取得した前記蓄電池情報と、前記電力情報取得ステップが取得した前記電力情報と、前記蓄電池が充電又は放電する電力の基準を示す電力基準情報とに基づいて、前記蓄電池が充電又は放電する電力に優先度を付加する優先度付加ステップと、
を実行させるための優先度付加プログラム。
【発明の詳細な説明】
【技術分野】
【０００１】
本発明は、優先度付加装置及び優先度付加プログラムに関する。
【背景技術】
【０００２】
従来、電力系統に接続される火力発電機又は水力発電機等の発電機が当該電力系統に供給可能な電力量を算出する技術が知られている。また、急な出力変動又は発電電力不足等が発電機に生じた場合、当該発電機に代わって電力系統に電力を供給する蓄電池が当該電力系統に供給可能な電力量を算出する技術が知られている（例えば、特許文献１）。
【先行技術文献】
【特許文献】
【０００３】
【特許文献１】特開２０１４−９０６６５号公報
【発明の概要】
【発明が解決しようとする課題】
【０００４】
ここで、需要家が電力系統に接続される蓄電池を備える場合であって、当該蓄電池から電力系統に電力を供給することが可能な場合がある。この場合、電力系統は、安定した電力を供給することができる。
蓄電池には、複数の種類の電力が蓄電される。電力の種類とは、例えば、電力系統が供給する電力を蓄電池が蓄電する際、価格が低い電力と、価格が高い電力とである。また、電力の種類とは、例えば、蓄電池が蓄電する電力を作り出す際に排出される二酸化炭素の量が多い電力と、少ない電力とである。蓄電池に蓄電された電力の種類に応じて蓄電池の充放電が制御されれば、電力系統には、電力供給会社の要求に合った種類の電力が供給される。
例えば、価格が低い電力の充放電を電力供給会社が要求し、蓄電池が価格の低い電力を電力系統に放電する場合、電力供給会社は、電力系統が供給する電力の費用を低減することができる。
しかしながら、従来の技術では、電力系統に接続される発電機及び蓄電池から供給可能である電力や電力量を算出することができても、蓄電池から放電される電力の種類を電力供給会社が制御できるようにすることまでは、困難である場合があった。
本発明は、上記問題に鑑みて為されたものであり、蓄電池から放電される電力の種類を電力供給会社が制御できるようにすることを目的とする。
【課題を解決するための手段】
【０００５】
本発明の一態様は、需要家が有する蓄電池に関する蓄電池情報を取得する蓄電池情報取得部と、前記蓄電池が充電することが可能な電力と電力量、放電することが可能な電力と電力量のうち、少なくとも１つを示す電力情報を取得する電力情報取得部と、前記蓄電池情報取得部が取得した前記蓄電池情報と、前記電力情報取得部が取得した前記電力情報と、前記蓄電池が充電又は放電する電力の基準を示す電力基準情報とに基づいて、前記蓄電池が充電又は放電する電力に優先度を付加する優先度付加部と、を備える優先度付加装置である。
【０００６】
また、本発明の一態様の優先度付加装置において、前記電力基準情報とは、前記蓄電池が蓄電する電力の価格を示す価格情報と、前記蓄電池が電力を放電する際の効率と、充電する際の効率と、充電した電力を放電する際の効率とのうち、少なくとも一つを示す効率情報と、前記蓄電池の劣化の程度を示す劣化情報と、前記蓄電池が電力を蓄電することによって排出される二酸化炭素の量を示す二酸化炭素情報とのうち、少なくとも１つを含む。
【０００７】
また、本発明の一態様の優先度付加装置において、前記電力情報とは、前記蓄電池が充放電することが可能な電力の予測を示す情報である。
【０００８】
また、本発明の一態様は、コンピュータに、需要家が有する蓄電池に関する蓄電池情報を取得する蓄電池情報取得ステップと、前記蓄電池が充電することが可能な電力と電力量、放電することが可能な電力と電力量のうち、少なくとも１つを示す電力情報を取得する電力情報取得ステップと、前記蓄電池情報取得ステップが取得した前記蓄電池情報と、前記電力情報取得ステップが取得した前記電力情報と、前記蓄電池が充電又は放電する電力の基準を示す電力基準情報とに基づいて、前記蓄電池が充電又は放電する電力に優先度を付加する優先度付加ステップと、を実行させるための優先度付加プログラムである。
【発明の効果】
【０００９】
本発明によれば、蓄電池から放電される電力の種類を電力供給会社が制御することができる。
【図面の簡単な説明】
【００１０】
【図１】第１実施形態の優先度付加装置の概要を示す図である。
【図２】第１実施形態の優先度付加装置の構成の一例を示す図である。
【図３】第１実施形態の優先度付加装置の動作の一例を示す流れ図である。
【図４】第３実施形態の蓄電池の可能出力情報の一例を示すグラフである。
【図５】第３実施形態の蓄電池の出力電力量情報の一例を示すグラフである。
【図６】第３実施形態の蓄電池の損失情報の一例を示すグラフである。
【図７】第３実施形態の蓄電池の総充放電量情報の一例を示すグラフである。
【図８】第３実施形態の蓄電池のカレンダー情報の一例を示すグラフである。
【図９】第３実施形態の蓄電池の充放電サイクル情報の一例を示すグラフである。
【図１０】第３実施形態の蓄電池のコスト情報の一例を示すグラフである。
【図１１】第３実施形態の蓄電池の単位電力損失情報の一例を示すグラフである。
【図１２】第３実施形態の蓄電池の総ＣＯ２量情報の一例を示すグラフである。
【発明を実施するための形態】
【００１１】
［第１実施形態］
以下、図を参照して本発明の第１実施形態について説明する。
図１は、本実施形態の優先度付加装置１の概要を示す図である。
【００１２】
＜電力系統について＞
系統電力供給設備ＳＳは、系統電力供給設備ＳＳから電力の供給を受ける需要家に電線Ｌを介して接続される。系統電力供給設備ＳＳとは、例えば、変電所である。電線Ｌとは、例えば、配電線である。以降の説明において、需要家に電力を供給する設備を総称して電力系統ＥＰＳと記載する。電力系統ＥＰＳには、系統電力供給設備ＳＳ及び電線Ｌが含まれる。
【００１３】
需要家には、電力系統ＥＰＳに接続される他の需要家に当該電力系統ＥＰＳの電線Ｌを介して電力を供給することが可能な設備を備える需要家が含まれる。以降の説明において、要求に応じて電力を供給することが可能な設備を電力供給設備ＥＳＳと記載する。電力供給設備ＥＳＳは、単一又は複数の電源を備える。この一例では、この電源が蓄電池ＢＴである場合について説明する。また、この一例では、電力供給設備ＥＳＳが備える電源が蓄電池ＢＴの一種類である場合について説明するが、電力供給設備ＥＳＳには、複数の種類の電源や複数の種類の蓄電池が組み合わされていてもよい。電力供給設備ＥＳＳが備える電源とは、例えば、発電機ＰＧ及び蓄電池ＢＴ等である。発電機ＰＧとは、例えば、火力発電機、水力発電機及び太陽光発電機等である。電力供給設備ＥＳＳが備える蓄電池ＢＴとは、例えば、リチウムイオン電池やレドックスフロー電池、ナトリウム硫黄電池等である。また、電力供給設備ＥＳＳを備える需要家とは、例えば、ホテル、大学、工場及び病院等の施設である。
以降の説明において、電力供給設備ＥＳＳを備える需要家を供給需要家と記載する。また、以降の説明において、供給需要家以外の需要家であって、供給需要家と同一の電力系統ＥＰＳに接続される需要家を、一般需要家と記載する。
【００１４】
上述したように、供給需要家が備える電力供給設備ＥＳＳが蓄電池ＢＴである場合がある。この場合、蓄電池ＢＴは、蓄電池ＢＴが蓄電する電力を電力系統ＥＰＳの電線Ｌを介して需要家に電力を供給することができる。また、電力系統ＥＰＳが供給する電力が余剰する場合、蓄電池ＢＴは、充電することにより電力系統ＥＰＳが供給する電力を消費することができる。この一例では、電力系統ＥＰＳには、複数の一般需要家（不図示）と、複数の供給需要家とが接続される場合について説明する。具体的には、電力系統ＥＰＳには、供給需要家である工場ＦＣ１、工場ＦＣ２、…、工場ＦＣｎが接続される。ｎとは、３以上の整数である。工場ＦＣ１は、電力供給設備ＥＳＳである蓄電池ＢＴ１を備える。また、工場ＦＣ２は、電力供給設備ＥＳＳである蓄電池ＢＴ２を備える。また、工場ＦＣｎは、電力供給設備ＥＳＳである蓄電池ＢＴｎを備える。
以降の説明において、工場ＦＣ１、工場ＦＣ２、…、工場ＦＣｎを区別しない場合には、総称して工場ＦＣと記載する。また、以降の説明において、蓄電池ＢＴ１、蓄電池ＢＴ２、…、蓄電池ＢＴｎを区別しない場合には総称して蓄電池ＢＴと記載する。
【００１５】
なお、上述では、供給需要家である工場ＦＣ１、工場ＦＣ２、…、工場ＦＣｎが電力系統ＥＰＳに接続される場合について説明したが、これに限られない。電力系統ＥＰＳには、２つ以上の供給需要家が接続されていればよい。
また、上述では、供給需要家である工場ＦＣ１、工場ＦＣ２、…、工場ＦＣｎが電力供給設備ＥＳＳとして蓄電池ＢＴのみを備える場合について説明したが、電力供給設備ＥＳＳである電源は、供給需要家毎に電源の種類の組み合わせが異なっていてもよい。例えば、供給需要家は、電源として蓄電池ＢＴ及び発電機ＰＧの両方を備えていてもよい。
【００１６】
＜電力系統の電力が不足及び余剰する場合について＞
ここで、電力系統ＥＰＳが供給する電力を上回って需要家が電力を使用する場合、電力系統ＥＰＳが供給する電力は、不足する。また、電力系統ＥＰＳが供給する電力量を下回って需要家が電力を使用する場合、電力系統ＥＰＳが供給する電力は、余剰する。また、系統電力供給設備ＳＳは、電力を効率的に発電するためには、発電する電力量が一定である（急変しない）ことが好ましい。したがって、電力系統ＥＰＳが一般需要家及び供給需要家に安定して電力を供給しつつ、かつ系統電力供給設備ＳＳが効率的に発電を行うには、供給需要家が有する蓄電池ＢＴが電力系統ＥＰＳの電力の状態に応じて充放電されることが好ましい。
具体的には、電力系統ＥＰＳの供給する電力が不足する場合、供給需要家は、蓄電池ＢＴに充電される電力を放電し、放電された電力を電力系統ＥＰＳから供給される電力に代えて使用する。これにより、電力系統ＥＰＳの電力の消費を抑制し、電力系統ＥＰＳの電力が適正に保たれる。また、電力系統ＥＰＳの供給する電力が余剰する場合、供給需要家が有する蓄電池ＢＴが電力系統ＥＰＳの余剰する電力を充電し、需要することによって、電力系統ＥＰＳの電力が適正に保たれる。
ここで、供給される又は需要する電力には、短時間、かつ高い電力が要求される場合と、長い時間にわたり電力が要求される場合とがある。この場合、電力の価値とは、電力値（ｋＷ）と電力量値（ｋＷｈ）により示される。
具体的には、電力供給会社は、需要調整方法を実施し、電力供給会社から電力の供給を受ける需要家（以下、需要家Ｕ）の電力消費を抑制する場合がある。需要調整方法とは、時間帯に応じた電気料金プランやデマンドレスポンス方式等である。例えば、時間帯に応じた電気料金プランやデマンドレスポンス方式において、電力系統ＥＰＳから供給される電力は、当該電力が供給される際の条件によって価格が異なる場合がある。
本実施形態の優先度付加装置１は、電力系統ＥＰＳに接続される電力供給設備ＥＳＳに関する情報に基づいて、当該電力供給設備ＥＳＳに電力の供給（放電）を促したり、需要（充電）を喚起する情報を出力する装置である。
【００１７】
＜優先度付加装置の概要について＞
図１に示す通り、優先度付加装置１は、収集事業者ＡＧの建屋に備えられる。収集事業者ＡＧとは、複数の供給需要家の電力供給設備ＥＳＳに関する情報を集約し、電力系統ＥＰＳの電力の状態に応じて電力供給設備ＥＳＳに電力の需給(充放電)を促す事業者である。
収集事業者ＡＧが情報を集約する対象の電力供給設備ＥＳＳを備える供給需要家と、優先度付加装置１とは、情報の送受信が可能なネットワークＮを介して接続される。この一例では、優先度付加装置１と、各供給需要家が有する端末（以下、端末ＤＶ）とは、ネットワークＮを介して接続される。各端末ＤＶは、ネットワークＮを介して蓄電池情報ＢＴＩと、電力情報ＥＩを優先度付加装置１に供給する。蓄電池情報ＢＴＩとは、電力供給設備ＥＳＳ（この一例では、蓄電池ＢＴ）に関する情報である。電力情報ＥＩとは、電力供給設備ＥＳＳ（この一例では、蓄電池ＢＴ）が充放電可能な電力と電力量を示す情報である。優先度付加装置１は、供給需要家の蓄電池ＢＴから取得した蓄電池情報ＢＴＩに基づいて、各蓄電池ＢＴが充放電を実施する際の優先度を付加する。優先度付加装置１は、当該優先度に基づく情報を処理し、蓄電池ＢＴに充放電に関する電力や電力量を指示する情報（以下、指示情報ＤＲ）を出力する。
【００１８】
なお、優先度付加装置１が蓄電池情報ＢＴＩ及び電力情報ＥＩを端末ＤＶから取得する構成に代えて、蓄電池情報ＢＴＩの制御装置から取得する構成であってもよい。この場合、蓄電池ＢＴには、蓄電池ＢＴの充電又は放電を制御する制御装置が備えられる。制御装置は、優先度付加装置１と、ネットワークＮを介して接続される。また、制御装置は、優先度付加装置１に蓄電池情報ＢＴＩ及び電力情報ＥＩを出力する。
また、上述では、蓄電池情報ＢＴＩと、電力情報ＥＩとは、ネットワークＮを介した通信によって優先度付加装置１に供給される場合について説明したが、これに限られない。蓄電池情報ＢＴＩと、電力情報ＥＩとは、例えば、需要家Ｕが、優先度付加装置１を有する者（この一例では、収集事業者ＡＧ）に対して電話等によって伝達する構成であってもよい。この場合、優先度付加装置１は、蓄電池情報ＢＴＩと、電力情報ＥＩとを入力する入力部を備る。収集事業者ＡＧは、需要家Ｕから伝達された蓄電池情報ＢＴＩと、電力情報ＥＩとを入力部に入力する。これにより、優先度付加装置１は、蓄電池情報ＢＴＩと、電力情報ＥＩとを取得する。
【００１９】
＜優先度付加装置の構成について＞
以下、図２を参照して優先度付加装置１の構成について説明する。図２は、第１実施形態の優先度付加装置１の構成の一例を示す図である。
上述したように、優先度付加装置１と、端末ＤＶとは、ネットワークＮを介して情報の送受信可能に接続される。端末ＤＶは、優先度付加装置１に蓄電池情報ＢＴＩと、電力情報ＥＩとを送信する。また、優先度付加装置１には、電力基準情報供給装置ＥＤが接続される。電力基準情報供給装置ＥＤとは、優先度付加装置１に電力基準情報ＥＤＩを供給する装置である。電力基準情報ＥＤＩとは、蓄電池ＢＴが充電又は放電する電力の基準を示す情報である。具体的には、電力基準情報ＥＤＩには、蓄電池情報ＢＴＩに含まれる情報のうち、蓄電池ＢＴが充放電を実施する際の優先度を付加する基準の情報が示される。電力基準情報ＥＤＩは、例えば、系統電力供給設備ＳＳの所有者、電線Ｌの所有者又は電力系統ＥＰＳを介して電力を供給する電力供給会社によって定められる情報である。
【００２０】
優先度付加装置１は、制御部１００を備える。制御部１００は、ＣＰＵ（Ｃｅｎｔｒａｌ  Ｐｒｏｃｅｓｓｉｎｇ  Ｕｎｉｔ）を備えており、蓄電池情報取得部１１０と、電力情報取得部１２０と、電力基準情報取得部１３０と、優先度付加部１４０と、出力部１５０とをその機能部として備える。蓄電池情報取得部１１０は、電力供給設備ＥＳＳから蓄電池情報ＢＴＩを取得する。蓄電池情報取得部１１０は、取得した蓄電池情報ＢＴＩを優先度付加部１４０に供給する。電力情報取得部１２０は、電力供給設備ＥＳＳから電力情報ＥＩを取得する。電力基準情報取得部１３０は、電力基準情報供給装置ＥＤから電力基準情報ＥＤＩを取得する。電力基準情報取得部１３０は、取得した電力基準情報ＥＤＩを優先度付加部１４０に供給する。
【００２１】
優先度付加部１４０は、蓄電池情報取得部１１０から蓄電池情報ＢＴＩを取得する。また、優先度付加部１４０は、電力情報取得部１２０から電力情報ＥＩを取得する。優先度付加部１４０は、電力基準情報取得部１３０から電力基準情報ＥＤＩを取得する。
優先度付加部１４０は、取得した蓄電池情報ＢＴＩと、電力情報ＥＩと、電力基準情報ＥＤＩとに基づいて、蓄電池ＢＴが充電又は放電する電力に優先度を付加する。具体的には、優先度付加部１４０は、蓄電池情報ＢＴＩに含まれる情報のうち、電力基準情報ＥＤＩが示す情報に基づいて、優先度を付加する。また、優先度付加部１４０は、付加した優先度に基づいて、蓄電池ＢＴに充電する電力と、蓄電池ＢＴに充電する電力量と、蓄電池ＢＴが放電する電力と、蓄電池ＢＴが放電する電力量とのうち、少なくとも１つを指示する指示情報ＤＲを生成する。優先度付加部１４０は、生成した指示情報ＤＲを出力部１５０に供給する。出力部１５０は、優先度付加部１４０から指示情報ＤＲを取得する。出力部１５０は、端末ＤＶに指示情報ＤＲを送信する。供給需要家は、端末ＤＶに送信された指示情報ＤＲに基づいて、蓄電池ＢＴの充電又は放電を行う。具体的には、供給需要家は、指示情報ＤＲが示す電力、又は電力量に基づいて、蓄電池ＢＴの充電、又は放電を行う。
【００２２】
以下、図３を参照して、優先度付加装置１の動作について説明する。
図３は、第１本実施形態の優先度付加装置１の動作の一例を示す流れ図である。
優先度付加装置１が備える蓄電池情報取得部１１０は、端末ＤＶから蓄電池情報ＢＴＩを取得する（ステップＳ１１０）。電力情報取得部１２０は、端末ＤＶから電力情報ＥＩを取得する（ステップＳ１２０）。電力基準情報取得部１３０は、電力基準情報供給装置ＥＤから電力基準情報ＥＤＩを取得する（ステップＳ１３０）。優先度付加部１４０は、蓄電池情報取得部１１０が取得した蓄電池情報ＢＴＩと、電力情報取得部１２０が取得した電力情報ＥＩと、電力基準情報取得部１３０が取得した電力基準情報ＥＤＩとに基づいて、蓄電池ＢＴが充電又は放電する電力に優先度を付加する（ステップＳ１４０）。出力部１５０は、優先度付加部１４０が付加した優先度に基づいて生成した指示情報ＤＲを出力する（ステップＳ１５０）。
【００２３】
なお、上述では、出力部１５０が、指示情報ＤＲを出力し、蓄電池ＢＴが指示情報ＤＲに応じて充放電する場合について説明したが、これに限られない。出力部１５０は、優先度付加部１４０が付加した優先度を示す情報を出力してもよい。この場合、優先度を示す情報を端末ＤＶによって取得した供給需要家が、当該情報を参照し、蓄電池ＢＴの充放電を制御する構成であってもよい。
【００２４】
＜優先度付加装置：電力系統の電力が不足する場合＞
以下、電力系統ＥＰＳの電力が不足し、優先度付加装置１の指示情報ＤＲに基づいて、蓄電池ＢＴが放電する場合について説明する。この場合、優先度付加装置１は、蓄電池ＢＴが放電する電力に優先度を付加する。この一例では、供給需要家が有する蓄電池ＢＴのいずれもが放電可能に充電されている場合について説明する。換言すると、端末ＤＶから取得する電力情報ＥＩには、蓄電池ＢＴのいずれもが放電可能な電力や電力量が蓄電されていることが示される。
【００２５】
＜蓄電池情報について＞
以降の説明において、優先度付加装置１が蓄電池ＢＴの放電を指示する指示情報ＤＲを出力する場合に端末ＤＶから取得する蓄電池情報ＢＴＩを蓄電池情報ＢＴＩ１と記載する。蓄電池情報ＢＴＩ１には、放電効率情報ＤＦと、価格情報ＶＬと、契約単価情報ＣＰとが含まれる。優先度付加装置１は、蓄電池ＢＴ１、蓄電池ＢＴ２、蓄電池ＢＴｎを有する各供給需要家の端末ＤＶから蓄電池情報ＢＴＩ１をそれぞれ取得する。以下、蓄電池情報ＢＴＩ１に含まれる各情報について説明する。
なお、蓄電池情報ＢＴＩ１は、放電効率情報ＤＦと、価格情報ＶＬと、契約単価情報ＣＰとが含まれる構成に代えて、放電効率情報ＤＦと、価格情報ＶＬと、契約単価情報ＣＰとのうち、少なくとも１つが含まれる構成であってもよい。
【００２６】
＜放電効率情報ＤＦについて＞
放電効率情報ＤＦとは、蓄電池ＢＴが電力を放電する際の効率を示す情報である。一般に、蓄電池ＢＴから放電される電力は、放電する際に電力損失が生じる。この一例では、放電効率情報ＤＦは、蓄電池ＢＴから放電された放電電力量に対する、放電する際に消費された電力量を除いた放電電力量の比（割合）によって示される。蓄電池ＢＴは、放電効率情報ＤＦの値が大きいほど電力の損失が少なく、放電効率が良い。また、蓄電池ＢＴは、放電効率情報ＤＦの値が小さいほど電力の損失が大きく、放電効率が悪い。
【００２７】
電力基準情報ＥＤＩが放電効率情報ＤＦを示す場合、優先度付加装置１は、放電効率情報ＤＦに基づいて、蓄電池ＢＴ１、蓄電池ＢＴ２及び蓄電池ＢＴｎが放電する電力に優先度を付加する。例えば、優先度付加装置１は、放電効率情報ＤＦが高い電力に高い優先度を付加することによって、電力損出の少ない蓄電池ＢＴの電力を優先的に放電することを指示する。この場合、優先度付加装置１は、指示情報ＤＲに応じて蓄電池ＢＴが放電することに伴う電力損失を抑制することができる。つまり、電力損失の電力量に相当する電気料金が無益に消費されることを抑制することができる。
【００２８】
＜放電価格情報について＞
放電価格情報ＶＬＯとは、蓄電池ＢＴに蓄電された電力や電力量の価格を示す情報である。ここで、電力供給会社は、需要調整方法を実施し、需要家Ｕの電力消費を抑制する場合がある。需要調整方法とは、時間帯に応じた電気料金プランやデマンドレスポンス方式等である。例えば、時間帯に応じた電気料金プランやデマンドレスポンス方式において、電力系統ＥＰＳから供給される電力は、当該電力が供給される際の条件によって価格が異なる場合がある。この一例では、放電価格情報ＶＬＯとは、蓄電池ＢＴが電力系統ＥＰＳから電力を充電した際の当該電力の価格と、充電する電力の電力量と、蓄電池ＢＴの充電効率と、放電効率に基づいて算出される単価であって、当該蓄電池ＢＴから放電する電力量の１ｋＷｈあたりの単価を示す情報である。ここで、蓄電池ＢＴの充電効率とは、電力系統ＥＰＳにおいて供給される交流電力を蓄電池ＢＴに蓄電される直流電力に変換する効率である。
【００２９】
電力基準情報ＥＤＩが放電価格情報ＶＬＯを示す場合、優先度付加装置１は、放電価格情報ＶＬＯに基づいて、蓄電池ＢＴ１、蓄電池ＢＴ２及び蓄電池ＢＴｎが放電する電力に優先度を付加する。例えば、優先度付加装置１は、放電価格情報ＶＬＯが安い電力に高い優先度を付加する。これにより、優先度付加装置１は、蓄電池ＢＴに蓄電される電力の１ｋＷｈあたりの単価が安い蓄電池ＢＴの電力を優先的に放電することを指示する。したがって、優先度付加装置１は、指示情報ＤＲに応じて蓄電池ＢＴが放電する電力量に相当する電気料金を低減することができる。
なお、電力系統ＥＰＳから要求された指示情報ＤＲが１箇所の蓄電池ＢＴでは供給できない場合、優先度付加装置１は、複数の蓄電池からコストの安い順に組み合わせてもよい。
【００３０】
＜契約単価情報について＞
契約単価情報ＣＰとは、供給需要家と、電力供給会社との契約に基づく電力の価格を示す情報である。ここで、供給需要家は、電力の使用に係る契約であって、一般需要家とは異なる電気料金の契約を電力供給会社と行う場合がある。この一例では、契約単価情報ＣＰとは、供給需要家が蓄電池ＢＴを充電する際に電力系統ＥＰＳから供給される電力の１ｋＷｈあたりの単価を示す情報である。
【００３１】
電力基準情報ＥＤＩが契約単価情報ＣＰを示す場合、優先度付加装置１は、契約単価情報ＣＰに基づいて、蓄電池ＢＴ１、蓄電池ＢＴ２及び蓄電池ＢＴｎが放電する電力に優先度を付加する。例えば、優先度付加装置１は、契約単価情報ＣＰが安い電力に高い優先度を付加する。これにより、優先度付加装置１は、蓄電池ＢＴに蓄電される電力の１ｋＷｈあたりの単価が安い蓄電池ＢＴの電力を優先的に放電することを指示する。したがって、優先度付加装置１は、指示情報ＤＲに応じて蓄電池ＢＴが放電する電力量に相当する電気料金を低減することができる。
【００３２】
＜優先度付加装置：電力系統の電力が余剰する場合＞
以下、電力系統ＥＰＳの電力が余剰し、優先度付加装置１の指示情報ＤＲに基づいて蓄電池ＢＴが充電する場合について説明する。この場合、優先度付加装置１は、蓄電池ＢＴが充電する電力に優先度を付加する。この一例では、供給需要家が有する蓄電池ＢＴのいずれもが充電可能に放電されている場合について説明する。換言すると、端末ＤＶから取得する電力情報ＥＩは、蓄電池ＢＴのいずれもが充電可能な電力量を蓄電することを示す情報である。
【００３３】
＜蓄電池情報について＞
以降の説明において、優先度付加装置１が蓄電池ＢＴの充電を指示する指示情報ＤＲを出力する場合に端末ＤＶから取得する蓄電池情報ＢＴＩを蓄電池情報ＢＴＩ２と記載する。蓄電池情報ＢＴＩ２には、充電効率情報ＣＦと、充電価格情報ＶＬＩとが含まれる。優先度付加装置１は、蓄電池ＢＴ１、蓄電池ＢＴ２、蓄電池ＢＴｎを有する各供給需要家の端末ＤＶから蓄電池情報ＢＴＩ２をそれぞれ取得する。以下、蓄電池情報ＢＴＩ２に含まれる各情報について説明する。
なお、蓄電池情報ＢＴＩ２は、充電効率情報ＣＦと、充電価格情報ＶＬＩとが含まれる構成に代えて、充電効率情報ＣＦ又は充電価格情報ＶＬＩが含まれる構成であってもよい。
【００３４】
＜充電効率情報について＞
充電効率情報ＣＦとは、蓄電池ＢＴが電力を充電する際の効率を示す情報である。一般に、蓄電池ＢＴは、充電する際に電力損失が生じる。この一例では、充電効率情報ＣＦは、蓄電池ＢＴが充電する際に使用された電力量に対する蓄電池ＢＴに充電された電力量の比（割合）によって示される。蓄電池ＢＴは、充電効率情報ＣＦの値が大きいほど電力の損失が少なく、充電効率が良い。また、蓄電池ＢＴは、充電効率情報ＣＦの値が小さいほど電力の損失が大きく、充電効率が悪い。
【００３５】
電力基準情報ＥＤＩが充電効率情報ＣＦを示す場合、優先度付加装置１は、充電効率情報ＣＦに基づいて、蓄電池ＢＴ１、蓄電池ＢＴ２及び蓄電池ＢＴｎに蓄電される電力に優先度を付加する。例えば、優先度付加装置１は、充電効率情報ＣＦが高い電力に高い優先度を付加することによって、電力損出の少ない蓄電池ＢＴの電力を優先的に充電することを指示する。この場合、優先度付加装置１は、指示情報ＤＲに応じて蓄電池ＢＴが充電することに伴う電力損失を抑制することができる。つまり、電力損失の電力量に相当する電気料金が無益に消費されることを抑制することができる。
【００３６】
＜充電価格情報について＞
充電価格情報ＶＬＩとは、蓄電池ＢＴが充電することに伴って電力系統ＥＰＳから電力の供給を受ける際の電力の単価を示す情報である。上述したように、電力供給会社が需要調整方法を行うことに伴って、電力系統ＥＰＳから供給される電力は、当該電力が供給される際の条件によって価格が異なる場合がある。この一例では、充電価格情報ＶＬＩとは、蓄電池ＢＴが電力系統ＥＰＳから電力を充電した際の当該電力の価格と、充電する電力の電力量と、蓄電池ＢＴの充電効率とに基づいて算出される単価であって、当該蓄電池ＢＴに蓄電される電力量の１ｋＷｈあたりの単価を示す情報である。ここで、蓄電池ＢＴの充電効率とは、電力系統ＥＰＳにおいて供給される交流電力を蓄電池ＢＴに蓄電される直流電力に変換する効率である。
【００３７】
電力基準情報ＥＤＩが充電価格情報ＶＬＩを示す場合、優先度付加装置１は、充電価格情報ＶＬＩに基づいて、蓄電池ＢＴ１、蓄電池ＢＴ２及び蓄電池ＢＴｎに蓄電される電力に優先度を付加する。例えば、優先度付加装置１は、充電価格情報ＶＬＩが安い電力に高い優先度を付加する。これにより、優先度付加装置１は、蓄電池ＢＴに蓄電される電力の１ｋＷｈあたりの単価が安い蓄電池ＢＴの電力を優先的に充電することを指示する。したがって、優先度付加装置１は、指示情報ＤＲに応じて蓄電池ＢＴが充電する電力量に相当する電気料金を低減することができる。
【００３８】
［変形例］
以下、第１実施形態に係る変形例について説明する。
第１実施形態では、蓄電池ＢＴが優先度付加装置１の指示情報ＤＲに応じて、充電又は放電する場合について説明した。
変形例では、蓄電池ＢＴが優先度付加装置１の指示情報ＤＲに応じて、充電及び放電する場合について説明する。
【００３９】
＜優先度付加装置：電力系統の電力が不足又は余剰する場合について＞
以下、電力系統ＥＰＳの電力が不足又は余剰し、優先度付加装置１の指示情報ＤＲに基づいて、蓄電池ＢＴが充電又は放電する場合について説明する。この場合、優先度付加装置１は、蓄電池ＢＴが充電又は放電する電力に優先度を付加する。この一例では、供給需要家が有する蓄電池ＢＴのいずれもが充放電可能である場合について説明する。換言すると、端末ＤＶから取得する電力情報ＥＩには、蓄電池ＢＴのいずれもが充電又は放電可能な電力量が蓄電されていることが示される。
【００４０】
＜蓄電池情報について＞
以降の説明において、優先度付加装置１が蓄電池ＢＴの充放電を指示する指示情報ＤＲを出力する場合に端末ＤＶから取得する蓄電池情報ＢＴＩを蓄電池情報ＢＴＩ３と記載する。蓄電池情報ＢＴＩ３には、充放電効率情報ＣＥが含まれる。優先度付加装置１は、蓄電池ＢＴ１、蓄電池ＢＴ２、蓄電池ＢＴｎを有する各供給需要家の端末ＤＶから蓄電池情報ＢＴＩ３をそれぞれ取得する。以下、蓄電池情報ＢＴＩ３に含まれる充放電効率情報ＣＥについて説明する。
【００４１】
＜充放電効率情報について＞
充放電効率情報ＣＥとは、蓄電池ＢＴが充電した電力量に対して、放電可能な電力量を示す情報である。上述したように、蓄電池ＢＴ充電及び放電する際に電力損失が生じる。したがって、蓄電池ＢＴに蓄電する際に電力系統ＥＰＳから供給された電力量と、実際に蓄電池ＢＴから出力可能な電力量とでは、出力可能な電力量の方が少ない。この一例では、充放電効率情報ＣＥとは、蓄電池ＢＴに蓄電する際に電力系統ＥＰＳから供給された電力量に対する蓄電池ＢＴから出力可能な電力量の比（割合）である。蓄電池ＢＴは、充放電効率情報ＣＥの値が大きいほど電力の損失が少なく、充放電効率が良い。また、蓄電池ＢＴは、充放電効率情報ＣＥの値が小さいほど電力の損失が大きく、充放電効率が悪い。
【００４２】
電力基準情報ＥＤＩが充放電効率情報ＣＥを示す場合、優先度付加装置１は、充放電効率情報ＣＥに基づいて、蓄電池ＢＴ１、蓄電池ＢＴ２及び蓄電池ＢＴｎが充放電する電力に優先度を付加する。例えば、優先度付加装置１は、充放電効率情報ＣＥが高い電力に高い優先度を付加することによって、電力損出の少ない蓄電池ＢＴの電力を優先的に充放電することを指示する。この場合、優先度付加装置１は、指示情報ＤＲに応じて蓄電池ＢＴが充電又は放電することに伴う電力損失を抑制することができる。つまり、電力損失の電力量に相当する電気料金が無益に消費されることを抑制することができる。
【００４３】
［第２実施形態］
以下、本発明の第２実施形態について説明する。
第１実施形態及び変形例では、優先度付加装置１が、蓄電池ＢＴが充電や放電することに伴う供給需要家の電気料金が抑制又は低減されるように、蓄電池ＢＴの電力に優先度を付加する場合について説明した。
第２実施形態では、優先度付加装置１が供給需要家の電気料金以外の要素に基づいて、蓄電池ＢＴの電力に優先度を付加する場合について説明する。
【００４４】
＜優先度付加装置：電力系統の電力が不足又は余剰する場合について＞
以下、電力系統ＥＰＳの電力が不足又は余剰し、優先度付加装置１の指示情報ＤＲに基づいて、蓄電池ＢＴが充電又は放電する場合について説明する。この場合、優先度付加装置１は、蓄電池ＢＴが充電又は放電する電力に優先度を付加する。上述したように、この優先度とは、供給需要家の電気料金以外の要素に基づいて付加される優先度である。この一例では、供給需要家が有する蓄電池ＢＴのいずれもが充放電可能である場合について説明する。換言すると、端末ＤＶから取得する電力情報ＥＩには、蓄電池ＢＴのいずれもが充電又は放電可能な電力量が蓄電されていることが示される。
【００４５】
＜蓄電池情報について＞
優先度付加装置１は、供給需要家の電気料金以外の要素に基づいて、蓄電池ＢＴが蓄電する電力に優先度を付加する場合に、端末ＤＶから取得する蓄電池情報ＢＴＩを蓄電池情報ＢＴＩ４と記載する。蓄電池情報ＢＴＩ４には、二酸化炭素情報ＣＯと、残存価値情報ＳＰと、価値予測情報ＦＰと、劣化情報ＤＤと、温度情報ＴＰと、信頼性情報ＲＢとが含まれる。優先度付加装置１は、蓄電池ＢＴ１、蓄電池ＢＴ２、蓄電池ＢＴｎを有する各供給需要家の端末ＤＶから蓄電池情報ＢＴＩ４をそれぞれ取得する。以下、蓄電池情報ＢＴＩ４に含まれる各情報について説明する。
なお、蓄電池情報ＢＴＩ４には、二酸化炭素情報ＣＯと、残存価値情報ＳＰと、価値予測情報ＦＰと、劣化情報ＤＤと、温度情報ＴＰと、信頼性情報ＲＢとのうち、少なくとも１つが含まれる構成であってもよい。
【００４６】
＜二酸化炭素情報について＞
二酸化炭素情報ＣＯとは、蓄電池ＢＴに蓄電される電力を発電する際に排出される二酸化炭素の量を示す情報である。ここで、蓄電池ＢＴに蓄電される電力は、当該電力を作り出す際に排出される二酸化炭素の量が異なる場合がある。例えば、蓄電池ＢＴに蓄電される電力は、電力系統ＥＰＳから供給される電力や、蓄電池ＢＴに電力を供給可能に接続される発電機ＰＧが発電する電力等がある。この場合、蓄電池ＢＴが蓄電する電力は、電力の供給元によって当該電力を発電する際に排出される二酸化炭素の量が異なる場合がある。二酸化炭素情報ＣＯとは、蓄電池ＢＴに蓄電される電力の１ｋＷｈを発電する際に排出される二酸化炭素排出量を示す情報である。
なお、蓄電池ＢＴに蓄電される電力を発電する際に排出される二酸化炭素の量は、蓄電池ＢＴの充電効率、放電効率及び充放電効率によって異なる場合がある。このため、優先度付加部１４０は、二酸化炭素情報ＣＯとあわせて、放電効率情報ＤＦ、充電効率情報ＣＦ、及び充放電効率情報ＣＥに基づいて、優先度を付加することが好ましい。
【００４７】
電力基準情報ＥＤＩが二酸化炭素情報ＣＯを示す場合、優先度付加装置１は、二酸化炭素情報ＣＯに基づいて、蓄電池ＢＴ１、蓄電池ＢＴ２及び蓄電池ＢＴｎに蓄電される電力に優先度を付加する。例えば、優先度付加装置１は、二酸化炭素情報ＣＯが示す二酸化炭素排出量が少ない蓄電池ＢＴの電力に高い優先度を付加する。これにより、優先度付加装置１は、蓄電池ＢＴに蓄電される電力が発電される際に排出される二酸化炭素が少ない蓄電池ＢＴの電力を優先的に放電することを指示する。したがって、優先度付加装置１は、環境に配慮した電力の使用を指示することができる。
【００４８】
＜残存価値情報について＞
残存価値情報ＳＰとは、蓄電池ＢＴの現在の価値を示す情報である。ここで、蓄電池ＢＴは、充放電が行われ、使用されることにより劣化する。蓄電池ＢＴは、蓄電池ＢＴ毎の総使用時間に応じて、劣化の程度が異なる。蓄電池ＢＴの総使用時間とは、蓄電池ＢＴの使用時間と、使用予定時間との和である。蓄電池ＢＴの使用時間とは、蓄電池ＢＴが既に使用された時間である。また、蓄電池ＢＴの使用予定時間とは、蓄電池ＢＴの現在の状態に基づいて既知の方法によって算出される時間であって、現在から蓄電池ＢＴを使用することが可能な時間である。この一例では、残存価値情報ＳＰは、蓄電池ＢＴの当日の価値と、当該蓄電池ＢＴの定格容量との比によって示される。具体的には、残存価値情報ＳＰは、蓄電池ＢＴの当日の価値を示す値を、当該蓄電池ＢＴの定格容量を示す値によって除した値である。また、蓄電池ＢＴの当日の価値とは、蓄電池ＢＴの購入費用と、蓄電池ＢＴの総使用時間との比である。具体的には、蓄電池ＢＴの当日の価値とは、蓄電池ＢＴの購入費用を示す値を、蓄電池ＢＴの総使用時間を示す値によって除した値である。また、蓄電池ＢＴの定格容量とは、蓄電池ＢＴの仕様として定められた当該蓄電池ＢＴに蓄電することができる電力量、又は蓄電池ＢＴが供給することができる電力である。具体的には、残存価値情報ＳＰとは、ある日の蓄電池ＢＴの１ｋＷｈ、又は１ｋＷあたりの価値を示す情報である。残存価値情報ＳＰは、総使用時間及び定格容量が一致する複数の蓄電池ＢＴのうち、蓄電池ＢＴの購入費用が低額の蓄電池ＢＴの残存価値情報ＳＰは、小さい値を示し、蓄電池ＢＴの購入費用が高額の蓄電池ＢＴの残存価値情報ＳＰは、大きい値を示す。
【００４９】
電力基準情報ＥＤＩが残存価値情報ＳＰを示す場合、優先度付加装置１は、残存価値情報ＳＰに基づいて、蓄電池ＢＴ１、蓄電池ＢＴ２及び蓄電池ＢＴｎに蓄電される電力に優先度を付加する。ここで、購入費用が高い蓄電池ＢＴを有する供給需要家は、当該蓄電池ＢＴを充放電することに伴って高い利益を得たいと考える場合がある。この場合、蓄電池ＢＴを有する供給需要家は、蓄電池ＢＴの充放電に伴って電力供給会社から得る料金を高額に設定する場合がある。優先度付加装置１は、例えば、残存価値情報ＳＰの値が小さい蓄電池ＢＴの電力に高い優先度を付加する。したがって、優先度付加装置１は、指示情報ＤＲに応じて蓄電池ＢＴが充放電することに伴って電力供給会社が供給需要家に支払う料金を低減することができる。
【００５０】
なお、上述では、残存価値情報ＳＰが、蓄電池ＢＴの当日の価値と、当該蓄電池ＢＴの定格容量との比によって示される場合について説明したが、これに限られない。残存価値情報ＳＰは、蓄電池ＢＴの当日の価値と、当該蓄電池ＢＴの当日の実容量との比によって示されてもよい。蓄電池ＢＴの当日の実容量とは、蓄電池ＢＴが当日に実際に蓄電可能な電力容量である。蓄電池ＢＴの当日の実容量は、例えば、運転年数、充放電サイクル数、及び運転実績等に基づいて算出される。
【００５１】
＜劣化状態情報について＞
劣化情報ＤＤとは、蓄電池ＢＴの劣化の程度を示す情報である。具体的には、劣化情報ＤＤとは、想定使用時間と使用予定時間との比を示す情報である。想定使用時間とは、例えば、蓄電池ＢＴの仕様として定められた蓄電池ＢＴを使用することが可能な時間である。したがって、劣化情報ＤＤが示す値が大きいほど、蓄電池ＢＴは劣化が進行している。また、劣化情報ＤＤが示す値が小さいほど、蓄電池ＢＴの劣化が進行していない。
【００５２】
電力基準情報ＥＤＩが劣化情報ＤＤを示す場合、優先度付加装置１は、劣化情報ＤＤに基づいて、蓄電池ＢＴ１、蓄電池ＢＴ２及び蓄電池ＢＴｎに蓄電される電力に優先度を付加する。優先度付加装置１は、例えば、劣化情報ＤＤが示す値が低い蓄電池ＢＴの電力に高い優先度を付加する場合がある。ここで、蓄電池ＢＴは、劣化が進行していない蓄電池ＢＴの方が、劣化が進行している蓄電池ＢＴよりも長く（又は多く）電力を供給できる。したがって、優先度付加装置１は、劣化が進行していない蓄電池ＢＴの電力を優先的に放電し、電力系統ＥＰＳの電力の不足を安定して抑制することができる。また、優先度付加装置１は、劣化が進行している蓄電池ＢＴを使用しないことによって、蓄電池ＢＴの劣化を抑制することができる。
【００５３】
＜温度情報について＞
温度情報ＴＰとは、蓄電池ＢＴの劣化の程度を示す情報である。具体的には、温度情報ＴＰとは、蓄電池ＢＴの使用環境の温度の平均又は蓄電池ＢＴ自体の温度を示す情報である。ここで、蓄電池ＢＴは、当該蓄電池ＢＴの使用環境又は蓄電池ＢＴ自体の温度が高いほど、劣化が進行する場合がある。具体的には、蓄電池ＢＴは、当該蓄電池ＢＴの使用環境の温度の平均が３０度以上である場合、劣化が進行する場合がある。したがって、温度情報ＴＰが示す値が大きいほど、蓄電池ＢＴの劣化が進行している。また、温度情報ＴＰが示す値が小さいほど、蓄電池ＢＴの劣化していない。
【００５４】
電力基準情報ＥＤＩが温度情報ＴＰを示す場合、優先度付加装置１は、温度情報ＴＰに基づいて、蓄電池ＢＴ１、蓄電池ＢＴ２及び蓄電池ＢＴｎに蓄電される電力に優先度を付加する。優先度付加装置１は、例えば、温度情報ＴＰが示す値が低い蓄電池ＢＴの電力に高い優先度を付加する場合がある。ここで、蓄電池ＢＴは、劣化が進行していない蓄電池ＢＴの方が、劣化が進行している蓄電池ＢＴよりも長く（又は多く）電力を供給できる。したがって、優先度付加装置１は、劣化が進行していない蓄電池ＢＴの電力を優先的に放電し、電力系統ＥＰＳの電力の不足を安定して抑制することができる。また、優先度付加装置１は、劣化が進行している蓄電池ＢＴを使用しないことによって、蓄電池ＢＴの劣化を抑制することができる。
【００５５】
＜信頼性情報について＞
信頼性情報ＲＢとは、蓄電池ＢＴの設置されている箇所の信頼性を示す情報である。ここで、蓄電池ＢＴは、雷、雪及び強風等の気象条件に伴う障害によって、工場ＦＣに電力が供給されない場合、当該工場ＦＣに電力を供給することが求められる場合がある。この場合、蓄電池ＢＴは、電力系統ＥＰＳから切り離されて充放電するため、電力系統ＥＰＳに接続して充放電することが困難である。この一例では、信頼性情報ＲＢは、蓄電池ＢＴが設置されている箇所の気象条件に応じて、当該蓄電池ＢＴの信頼性の値（信頼度）を示す情報である。具体的には、蓄電池ＢＴが設置されている箇所の気象条件が悪い場合、信頼性情報ＲＢが示す蓄電池ＢＴの信頼度は、低い値である。また、蓄電池ＢＴが設置されている箇所の気象条件に問題がない場合、信頼性情報ＲＢが示す蓄電池ＢＴの信頼度は、高い値を示す。また、信頼性情報ＲＢは、蓄電池ＢＴ自身の信頼性として設備稼働率や指示情報ＤＲに対する成功率などを示しても良い。ここで、設備稼働率とは、平均修理時間と平均故障間隔との和に対する平均故障間隔の比（割合）である。また、指示情報ＤＲに対する成功率とは、蓄電池ＢＴが指示情報ＤＲを取得した回数に対する当該指示情報ＤＲに応じて充放電を行った回数の比（割合）である。
【００５６】
電力基準情報ＥＤＩが信頼性情報ＲＢを示す場合、優先度付加装置１は、信頼性情報ＲＢに基づいて、蓄電池ＢＴ１、蓄電池ＢＴ２及び蓄電池ＢＴｎに蓄電される電力に優先度を付加する。優先度付加装置１は、例えば、信頼性情報ＲＢが示す値が高い蓄電池ＢＴの電力に高い優先度を付加する場合がある。この場合、優先度付加装置１は、信頼度の高い蓄電池ＢＴの電力を優先的に充電又は放電し、電力系統ＥＰＳの電力が余剰又は不足することを安定して抑制することができる。
【００５７】
［第３実施形態］
以下、図を参照して本発明の第３実施形態について説明する。
第１実施形態及び変形例では、優先度付加装置１が、蓄電池ＢＴが充電や放電することに伴う供給需要家の電気料金が抑制又は低減されるように、蓄電池ＢＴの電力に優先度を付加する場合について説明した。また、第２実施形態では、優先度付加装置１が供給需要家の電気料金以外の要素に基づいて、蓄電池ＢＴの電力に優先度を付加する場合について説明した。
第３実施形態では、蓄電池ＢＴの電気化学的特性に基づいて、蓄電池ＢＴに蓄電される電力に優先度を付加する場合について説明する。
【００５８】
＜優先度付加装置：電力系統の電力が不足又は余剰する場合について＞
以下、電力系統ＥＰＳの電力が不足又は余剰し、優先度付加装置１の指示情報ＤＲに基づいて、蓄電池ＢＴが充電又は放電する場合について説明する。この場合、優先度付加装置１は、蓄電池ＢＴが充電又は放電する電力に優先度を付加する。上述したように、この優先度とは、蓄電池ＢＴの電気化学的特性に基づいて付加される優先度である。この一例では、供給需要家が有する蓄電池ＢＴのいずれもが充放電可能である場合について説明する。換言すると、端末ＤＶから取得する電力情報ＥＩには、蓄電池ＢＴのいずれもが充電又は放電可能な電力量を蓄電されていることが示される。
【００５９】
＜蓄電池情報について＞
優先度付加装置１は、蓄電池ＢＴの電気化学的特性に基づいて、蓄電池ＢＴが蓄電する電力に優先度を付加する場合に、端末ＤＶから取得する蓄電池情報ＢＴＩを蓄電池情報ＢＴＩ５と記載する。蓄電池情報ＢＴＩ５には、可能出力情報ＰＯと、出力電力量情報ＯＰＥと、損失情報ＬＳと、総充放電量情報ＴＥと、カレンダー情報ＳＨと、充放電サイクル情報ＣＹと、コスト情報ＣＴと、単位電力損失情報ＡＬと、総ＣＯ２量情報ＴＣＯとが含まれる。優先度付加装置１は、蓄電池ＢＴ１、蓄電池ＢＴ２、蓄電池ＢＴｎを有する各供給需要家の端末ＤＶから蓄電池情報ＢＴＩ５をそれぞれ取得する。以下、蓄電池情報ＢＴＩ５に含まれる各情報について説明する。
なお、蓄電池情報ＢＴＩ５には、可能出力情報ＰＯと、出力電力量情報ＯＰＥと、損失情報ＬＳと、総充放電量情報ＴＥと、カレンダー情報ＳＨと、充放電サイクル情報ＣＹと、コスト情報ＣＴと、単位電力損失情報ＡＬと、総ＣＯ２量情報ＴＣＯとのうち、少なくとも１つが含まれる構成であってもよい。
【００６０】
＜可能出力情報について＞
以下、図４を参照して可能出力情報ＰＯについて説明する。
図４は、第３実施形態の蓄電池ＢＴの可能出力情報ＰＯの一例を示すグラフである。可能出力情報ＰＯとは、蓄電池ＢＴの放電電力量と、蓄電池容量との関係を示す情報である。図４に示すグラフにおいて、縦軸は、蓄電池ＢＴの放電電力量を示し、横軸は、蓄電池ＢＴの放電電力を示す。また、図４に示す波形Ｗ１は、ある蓄電池ＢＴの放電電力と放電電力量の関係を示す。一般に、蓄電池ＢＴは、高い出力（放電電力）を行うと、出力可能な電力量（放電電力量）が減少する。つまり、ある放電電力において出力可能な放電電力量には、上限がある。したがって、波形Ｗ１は、ある蓄電池ＢＴの放電電力に対して出力可能な放電電力量の上限（出力可能領域）を示す波形である。
【００６１】
電力基準情報ＥＤＩが可能出力情報ＰＯを示す場合、優先度付加装置１は、可能出力情報ＰＯに基づいて、蓄電池ＢＴ１、蓄電池ＢＴ２及び蓄電池ＢＴｎに蓄電される電力に優先度を付加する。ここで、蓄電池ＢＴが放電する電力に優先度付加装置１が優先度を付加する場合、蓄電池ＢＴは、放電する電力量が指定される場合がある。優先度付加装置１は、蓄電池ＢＴが放電する電力であって、指定される放電電力量と、蓄電池ＢＴの放電電力とに基づいて、優先度を付加する。具体的には、優先度付加装置１は、指定される放電電力量と、蓄電池ＢＴが出力する放電電力とが可能出力情報ＰＯの示す出力可能領域内である蓄電池ＢＴに高い優先度を付加する。これにより、優先度付加装置１は、指定に応じた電力を放電可能な電気的特性を有する蓄電池ＢＴに対して優先的に放電を指示することができる。
【００６２】
＜出力電力量情報について＞
以下、図５を参照して出力電力量情報ＯＰＥについて説明する。
図５は、第３実施形態の蓄電池ＢＴの出力電力量情報ＯＰＥの一例を示すグラフである。出力電力量情報ＯＰＥとは、蓄電池ＢＴが放電することが可能な電力量である放電可能電力量と、蓄電池ＢＴの放電電力との関係を示す情報である。図５に示すグラフにおいて、縦軸は、蓄電池ＢＴの放電可能電力量を示し、横軸は、蓄電池ＢＴの放電電力を示す。また、図５に示す波形Ｗ２は、ある蓄電池ＢＴ（以下、蓄電池ＢＴ１００）の放電電力と放電可能電力量の関係を示し、波形Ｗ３は、蓄電池ＢＴ１００とは異なる蓄電池ＢＴ（以下、蓄電池ＢＴ１０１）の放電電力と放電可能電力量の関係を示す。ここで、蓄電池ＢＴには、当該蓄電池ＢＴの電気的特性に応じて、ある放電電力に対する放電可能電力量が異なる場合がある。図５に示す通り、蓄電池ＢＴに蓄電された電力をある放電電力で出力する場合、蓄電池ＢＴ１００の放電可能電力量（波形Ｗ２）は、蓄電池ＢＴ１０１の放電可能電力量（波形Ｗ３）よりも電力量が多い。
【００６３】
電力基準情報ＥＤＩが出力電力量情報ＯＰＥを示す場合、優先度付加装置１は、出力電力量情報ＯＰＥに基づいて、蓄電池ＢＴ１、蓄電池ＢＴ２及び蓄電池ＢＴｎに蓄電される電力に優先度を付加する。ここで、蓄電池ＢＴが放電する電力に優先度付加装置１が優先度を付加する場合、蓄電池ＢＴは、放電する電力量が指定される場合がある。優先度付加装置１は、指定される放電電力量と、蓄電池ＢＴの放電可能電力量と、蓄電池ＢＴの放電電力とに基づいて、優先度を付加する。具体的には、優先度付加装置１は、指定される放電電力量が放電可能電力量より小さい出力電力量情報ＯＰＥである蓄電池ＢＴに高い優先度を付加する。これにより、優先度付加装置１は、指定に応じた電力を放電可能な電気的特性を有する蓄電池ＢＴに対して優先的に放電を指示することができる。
【００６４】
＜損失情報について＞
以下、図６を参照して損失情報ＬＳについて説明する。
図６は、第３実施形態の蓄電池ＢＴの損失情報ＬＳの一例を示すグラフである。損失情報ＬＳは、蓄電池ＢＴの電池内部の損失に伴う電力損失と、蓄電池ＢＴの放電電力との関係を示す情報である。図６に示すグラフにおいて、縦軸は、蓄電池ＢＴの電池内部の損失に伴う電力損失を示し、横軸は、蓄電池ＢＴの放電電力を示す。図６に示す波形Ｗ４〜波形Ｗ７は、ある蓄電池ＢＴ（以下、蓄電池ＢＴ１０２）の放電電力と、電池内部の損失に伴う電力損失の関係を示す。具体的には、波形Ｗ４は、蓄電池ＢＴ１０２の放電電力量が１００ｋＷｈである場合の放電電力と、電池内部の損失に伴う電力損失の関係を示す。波形Ｗ５は、蓄電池ＢＴ１０２の放電電力量が２００ｋＷｈである場合の放電電力と、電池内部の損失に伴う電力損失の関係を示す。波形Ｗ６は、蓄電池ＢＴ１０２の放電電力量が３００ｋＷｈである場合の放電電力と、電池内部の損失に伴う電力損失の関係を示す。波形Ｗ７は、蓄電池ＢＴ１０２の放電電力量が４００ｋＷｈである場合の放電電力と、電池内部の損失に伴う電力損失の関係を示す。一般に、蓄電池ＢＴは、高い放電電力を出力することに応じて、電池内部の損失に伴う電力損失が増加する。また、蓄電池ＢＴは、放電電力量を多く出力することに応じて、電池内部の損失に伴う電力損失が増加する。
【００６５】
電力基準情報ＥＤＩが損失情報ＬＳを示す場合、優先度付加装置１は、損失情報ＬＳに基づいて、蓄電池ＢＴ１、蓄電池ＢＴ２及び蓄電池ＢＴｎに蓄電される電力に優先度を付加する。ここで、蓄電池ＢＴが放電する電力に優先度付加装置１が優先度を付加する場合、蓄電池ＢＴは、放電する電力量が指定される場合がある。優先度付加装置１は、指定される放電電力量と、蓄電池ＢＴの放電電力量と、蓄電池ＢＴの放電電力と、蓄電池ＢＴの電池内部の損失に伴う電力損失とに基づいて、優先度を付加する。具体的には、優先度付加装置１は、指定される放電電力量をある放電電力で出力する場合、電池内部の損失に伴う電力損失が少ない蓄電池ＢＴに高い優先度を付加する。これにより、優先度付加装置１は、電力損失が少ない電気的特性を有する蓄電池ＢＴに対して優先的に放電を指示することができる。
【００６６】
＜総充放電量情報について＞
以下、図７を参照して総充放電量情報ＴＥについて説明する。
図７は、第３実施形態の蓄電池ＢＴの総充放電量情報ＴＥの一例を示すグラフである。総充放電量情報ＴＥは、蓄電池ＢＴの電池の容量（以下、電池容量）と、蓄電池ＢＴがこれまでに充電及び放電した電力量の総和（以下、総充放電電力量）との関係を示す情報である。図７に示すグラフにおいて、縦軸は、蓄電池ＢＴの電池容量を示し、横軸は、蓄電池ＢＴの総充放電電力量を示す。図７に示す波形Ｗ８は、ある蓄電池ＢＴ（以下、蓄電池ＢＴ１０３）の総充放電電力量と、電池容量との関係を示す。また、波形Ｗ９は、ある蓄電池ＢＴ（以下、蓄電池ＢＴ１０４）の総充放電電力量と、電池容量との関係を示す。一般に、蓄電池ＢＴの電池容量は、充放電の繰り返しに応じた総充放電電力量に比例し、減少する。また、蓄電池ＢＴは、蓄電池ＢＴの電気化学特性に応じたある電力量値に達した場合、適切に充放電を行うことが困難である。適切に充放電を行うことが困難である蓄電池ＢＴとは、例えば、蓄電池ＢＴの電池容量が製造当初の５０％程度になった蓄電池ＢＴである。
図７に示す通り、蓄電池ＢＴ１０３は、総充放電電力量が電力量値Ｅ４に達した場合、適切に充放電を行うことが困難である。また、蓄電池ＢＴ１０４は、総充放電電力量が電力量値Ｅ３に達した場合、適切に充放電を行うことが困難である。この一例では、電力量値Ｅ４と、電力量値Ｅ３とでは、電力量値Ｅ４の方が大きい値を示す。
【００６７】
電力基準情報ＥＤＩが総充放電量情報ＴＥを示す場合、優先度付加装置１は、総充放電量情報ＴＥに基づいて、蓄電池ＢＴ１、蓄電池ＢＴ２及び蓄電池ＢＴｎに蓄電される電力に優先度を付加する。ここで、蓄電池ＢＴが充電又は放電する電力に優先度付加装置１が優先度を付加する場合、蓄電池ＢＴは、充放電する電力量が指定される場合がある。優先度付加装置１は、指定された電力を充放電可能な蓄電池ＢＴのうち、指定される充電電力量又は放電電力量を充放電したことに伴う電池容量の減少が少ない蓄電池ＢＴに高い優先度を付加する。また、優先度付加装置１は、指定される充電電力量又は放電電力量を充放電した場合、適切に充放電を行うことが困難となる電力量に達しない蓄電池ＢＴに高い優先度を付加する。これにより、優先度付加装置１は、十分な電池容量である蓄電池ＢＴに対して優先的に充放電を指示することができる。また、優先度付加装置１は、適切に充放電を行うことが可能な蓄電池ＢＴに対して優先度に充放電を指示することができる。
【００６８】
＜カレンダー情報について＞
以下、図８を参照してカレンダー情報ＳＨについて説明する。
図８は、第３実施形態の蓄電池ＢＴのカレンダー情報ＳＨの一例を示すグラフである。カレンダー情報ＳＨは、蓄電池ＢＴの電池容量と、蓄電池ＢＴがこれまでに使用された年数である使用年数との関係を示す情報である。図８に示すグラフにおいて、縦軸は、蓄電池ＢＴの電池容量を示し、横軸は、蓄電池ＢＴ使用年数を示す。図８に示す波形Ｗ１０は、ある蓄電池ＢＴ（以下、蓄電池ＢＴ１０５）の使用年数と、電池容量との関係を示す。また、波形Ｗ１１は、ある蓄電池ＢＴ（以下、蓄電池ＢＴ１０６）の使用年数と、電池容量との関係を示す。一般に、蓄電池ＢＴの容量（電池容量）は、蓄電池ＢＴの使用年数に比例し、減少する。また、蓄電池ＢＴは、蓄電池ＢＴの電気化学特性に応じた、ある使用年数に達した場合、適切に充放電を行うことが困難である。図８に示す通り、蓄電池ＢＴ１０５は、使用年数が年数Ｙ１に達した場合、適切に充放電を行うことが困難である。また、蓄電池ＢＴ１０６は、使用年数が年数Ｙ２に達した場合、適切に充放電を行うことが困難である。この一例では、年数Ｙ１と、年数Ｙ２とでは、年数Ｙ２の方が長い年数を示す。
【００６９】
なお、上述では、カレンダー情報ＳＨは、蓄電池ＢＴの電池容量と、蓄電池ＢＴがこれまでに使用された年数である使用年数との関係を示す情報である場合について説明したが、これに限られない。カレンダー情報ＳＨは、蓄電池ＢＴの電池容量と、使用年数に代わる他の時間単位との関係を示す情報であってもよい。他の時間単位とは、例えば、日数であってもよく、時間数であってもよい。
【００７０】
電力基準情報ＥＤＩがカレンダー情報ＳＨを示す場合、優先度付加装置１は、カレンダー情報ＳＨに基づいて、蓄電池ＢＴ１、蓄電池ＢＴ２及び蓄電池ＢＴｎに蓄電される電力に優先度を付加する。優先度付加装置１は、使用年数が少ない蓄電池ＢＴに高い優先度を付加する。これにより、優先度付加装置１は、十分な電池容量である蓄電池ＢＴに対して優先的に充放電を指示することができる。
【００７１】
＜充放電サイクル情報について＞
以下、図９を参照して充放電サイクル情報ＣＹについて説明する。
図９は、第３実施形態の蓄電池ＢＴの充放電サイクル情報ＣＹの一例を示すグラフである。充放電サイクル情報ＣＹは、蓄電池ＢＴの電池容量と、蓄電池ＢＴがこれまでに充電及び放電された回数である充放電サイクルとの関係を示す情報である。図９に示すグラフにおいて、縦軸は、蓄電池ＢＴの電池容量を示し、横軸は、蓄電池ＢＴの充放電サイクルを示す。具体的には、充放電サイクルは、充電を行った後放電を行う場合、又は放電を行った後充電行う場合を１回としてカウントした値である。図９に示す波形Ｗ１２は、ある蓄電池ＢＴ（以下、蓄電池ＢＴ１０７）の充放電サイクルと、電池容量との関係を示す。また、波形Ｗ１３は、ある蓄電池ＢＴ（以下、蓄電池ＢＴ１０８）の充放電サイクルと、電池容量との関係を示す。また、波形Ｗ１４は、ある蓄電池ＢＴ（以下、蓄電池ＢＴ１０９）の充放電サイクルと、電池容量との関係を示す。一般に、蓄電池ＢＴの電池容量は、蓄電池ＢＴの充放電サイクルに比例し、減少する。また、蓄電池ＢＴは、蓄電池ＢＴの電気化学特性に応じたある充放電サイクルに達した場合、適切に充放電を行うことが困難である。図９に示す通り、蓄電池ＢＴ１０７は、充放電サイクルがサイクル回数Ｃ１に達した場合、適切に充放電を行うことが困難である。また、蓄電池ＢＴ１０８は、充放電サイクルがサイクル回数Ｃ２に達した場合、適切に充放電を行うことが困難である。また、蓄電池ＢＴ１０９は、サイクル回数Ｃ３に達した場合、適切に充放電を行うことが困難である。この一例では、サイクル回数Ｃ１と、サイクル回数Ｃ２とでは、サイクル回数Ｃ２の方が大きい値を示す。また、サイクル回数Ｃ２と、サイクル回数Ｃ３とでは、サイクル回数Ｃ３の方が大きい値を示す。
【００７２】
電力基準情報ＥＤＩが充放電サイクル情報ＣＹを示す場合、優先度付加装置１は、充放電サイクル情報ＣＹに基づいて、蓄電池ＢＴ１、蓄電池ＢＴ２及び蓄電池ＢＴｎに蓄電される電力に優先度を付加する。優先度付加装置１は、充放電サイクルが少ない蓄電池ＢＴに高い優先度を付加する。これにより、優先度付加装置１は、十分な電池容量である蓄電池ＢＴに対して優先的に充放電を指示することができる。
【００７３】
＜コスト情報について＞
以下、図１０を参照してコスト情報ＣＴについて説明する。
図１０は、第３実施形態の蓄電池ＢＴのコスト情報ＣＴの一例を示すグラフである。コスト情報ＣＴは、蓄電池ＢＴが放電する単位電力（例えば、１ｋＷ）あたりの蓄電池ＢＴの設備費用（以下、コスト）と、蓄電池ＢＴが蓄電する電力を放電することが可能な時間（以下、可能放電時間）との関係を示す情報である。図１０に示すグラフにおいて、縦軸は、蓄電池ＢＴのコストを示し、横軸は、蓄電池ＢＴの可能放電時間を示す。図１０に示す波形Ｗ１５は、ある蓄電池ＢＴ（以下、蓄電池ＢＴ１１０）の可能放電時間と、コストとの関係を示す。また、波形Ｗ１６は、波形Ｗ１５とは異なる種類の蓄電池ＢＴ（以下、蓄電池ＢＴ１１１）の可能放電時間と、コストとの関係を示す。ここで、蓄電池ＢＴは、蓄電池ＢＴに内蔵される化学物質に応じて蓄電池ＢＴの設備費用が異なる場合がある。また、蓄電池ＢＴは、蓄電池ＢＴの電気化学的特性に応じて、短時間の放電を効率よく行う蓄電池ＢＴ（この一例では、蓄電池ＢＴ１１０）と、長時間の放電を効率よく行う蓄電池ＢＴ（この一例では、蓄電池ＢＴ１１１）とがある。波形Ｗ１５が示す通り、蓄電池ＢＴ１１０は、可能放電時間が短い程、コストが低く、可能放電時間が長い程、コストが高い。波形Ｗ１６が示す通り、蓄電池ＢＴ１１１は、蓄電池ＢＴ１１０と比較して、可能放電時間によるコストの変動が少ない。蓄電池ＢＴ１１１は、蓄電池ＢＴ１１０と比較して、ある可能放電時間（以下、放電時間Ｔ１）に達するまでの間、放電にかかるコストが高い。また、蓄電池ＢＴ１１１は、蓄電池ＢＴ１１０と比較して、放電時間Ｔ１より長い時間の可能放電時間を有する場合、放電にかかるコストが低い。
【００７４】
電力基準情報ＥＤＩがコスト情報ＣＴを示す場合、優先度付加装置１は、コスト情報ＣＴに基づいて、蓄電池ＢＴ１、蓄電池ＢＴ２及び蓄電池ＢＴｎが放電する電力に優先度を付加する。ここで、蓄電池ＢＴが放電する電力に優先度付加装置１が優先度を付加する場合、蓄電池ＢＴは、放電する時間が指定される場合がある。優先度付加装置１は、指定する放電の時間が放電時間Ｔ１より短い場合、短時間の放電を効率よく行う蓄電池ＢＴ（この一例では、蓄電池ＢＴ１１０）に高い優先度を付加する。また、優先度付加装置１は、指定する放電の時間が放電時間Ｔ１より長い場合、長時間の放電を効率よく行う蓄電池ＢＴ（この一例では、蓄電池ＢＴ１１１）に高い優先度を付加する。これにより、優先度付加装置１は、指定する放電の時間に応じてコストが低い蓄電池ＢＴに対して優先的に充放電を指示することができる。したがって、優先度付加装置１は、蓄電池ＢＴが放電する単位電力量あたりの蓄電池ＢＴの設備費用が少ない蓄電池ＢＴに対して優先的に放電を指示することができる。
【００７５】
＜単位電力損失情報について＞
以下、図１１を参照して単位電力損失情報ＡＬについて説明する。
図１１は、第３実施形態の蓄電池ＢＴの単位電力損失情報ＡＬの一例を示すグラフである。単位電力損失情報ＡＬは、蓄電池ＢＴがある所定の電力量を出力する場合における、蓄電池ＢＴの電池内部の損失に伴う電力損失と、蓄電池ＢＴがある所定の電力量を出力する場合における、蓄電池ＢＴの放電電力と、の関係を示す情報である。図１１に示すグラフにおいて、縦軸は、蓄電池ＢＴがある所定の電力量を出力する場合における、蓄電池ＢＴの電池内部の損失に伴う電力損失を示す。また、横軸は、蓄電池ＢＴがある所定の電力量を出力する場合における、蓄電池ＢＴの放電電力を示す。
図１１に示す波形Ｗ１７は、ある蓄電池ＢＴ（以下、蓄電池ＢＴ１１２）の放電電力と、電池内部の損失に伴う電力損失の関係を示す。また、波形Ｗ１８は、波形Ｗ１７とは異なる種類の蓄電池ＢＴ（以下、蓄電池ＢＴ１１３）の放電電力と、電池内部の損失に伴う電力損失の関係を示す。一般に、蓄電池ＢＴは、ある放電電力量をある放電電力によって出力する場合であっても、蓄電池ＢＴに内蔵される化学物質に応じて電池内部の損失に伴う電力損失が異なる場合がある。
波形Ｗ１７及び波形Ｗ１８が示す通り、ある放電電力量をある放電電力によって出力する場合、蓄電池ＢＴ１１２及び蓄電池ＢＴ１１３では、蓄電池ＢＴ１１２の方が電池内部の損失に伴う電力損失が多い。
【００７６】
電力基準情報ＥＤＩが単位電力損失情報ＡＬを示す場合、優先度付加装置１は、単位電力損失情報ＡＬに基づいて、蓄電池ＢＴ１、蓄電池ＢＴ２及び蓄電池ＢＴｎが放電する電力に優先度を付加する。優先度付加装置１は、ある放電電力量をある放電電力によって出力する場合に電池内部の損失に伴う電力損失が少ない蓄電池ＢＴに高い優先度を付加する。これにより、優先度付加装置１は、電池内部の損失に伴う電力損失が少ない蓄電池ＢＴに対して優先的に充放電を指示し、当該電力損失を低減することができる。
【００７７】
＜総ＣＯ２量情報について＞
以下、図１２を参照して総ＣＯ２量情報ＴＣＯについて説明する。
図１２は、第３実施形態の蓄電池ＢＴの総ＣＯ２量情報ＴＣＯの一例を示すグラフである。総ＣＯ２量情報ＴＣＯは、蓄電池ＢＴが充放電することに伴って排出される二酸化炭素排出量と、蓄電池ＢＴがこれまでに使用された年数である使用年数との関係を示す情報である。図１２に示すグラフにおいて、縦軸は、蓄電池ＢＴの二酸化炭素排出量を示す。また、横軸は、蓄電池ＢＴの使用年数を示す。
図１２に示す波形Ｗ１９は、ある蓄電池ＢＴ（以下、蓄電池ＢＴ１１４）の使用年数と、二酸化炭素排出量の関係を示す。また、波形Ｗ２０は、ある蓄電池ＢＴ（以下、蓄電池ＢＴ１１５）の使用年数と、二酸化炭素排出量の関係を示す。一般に、蓄電池ＢＴは、蓄電池ＢＴに内蔵される化学物質に応じて蓄電池ＢＴが充放電することに伴って排出される二酸化炭素排出量が異なる場合がある。また、蓄電池ＢＴは、使用年数が経過することに伴って二酸化炭素排出量が増加する。
波形Ｗ１９及び波形Ｗ２０が示す通り、蓄電池ＢＴ１１４及び蓄電池ＢＴ１１５は、ある使用年数における二酸化炭素排出量が異なる。この一例では、蓄電池ＢＴ１１４と、蓄電池ＢＴ１１５とでは、が蓄電池ＢＴ１１４の方がある使用年数における二酸化炭素排出量が多い。
【００７８】
電力基準情報ＥＤＩが総ＣＯ２量情報ＴＣＯを示す場合、優先度付加装置１は、総ＣＯ２量情報ＴＣＯに基づいて、蓄電池ＢＴ１、蓄電池ＢＴ２及び蓄電池ＢＴｎが放電する電力に優先度を付加する。優先度付加装置１は、ある使用年数における二酸化炭素排出量が少ない蓄電池ＢＴに高い優先度を付加する。これにより、優先度付加装置１は、二酸化炭素排出量が少ない蓄電池ＢＴに対して優先的に充放電を指示し、環境に配慮した電力の使用を指示することができる。
【００７９】
以上説明したように、優先度付加装置１は、需要家（この一例では、供給需要家）が有する蓄電池ＢＴに関する蓄電池情報ＢＴＩを取得する蓄電池情報取得部１１０と、蓄電池ＢＴが充電することが可能な電力と、放電することが可能な電力とのうち、少なくとも１つを示す電力情報ＥＩを取得する電力情報取得部１２０と、蓄電池情報取得部１１０が取得した蓄電池情報ＢＴＩと、電力情報取得部１２０が取得した電力情報ＥＩと、蓄電池ＢＴが充電又は放電する電力の基準を示す電力基準情報ＥＤＩとに基づいて、蓄電池ＢＴが充電又は放電する電力に優先度を付加する優先度付加部１４０と、を備える。これにより、優先度付加装置１は、付加した優先度に基づいて、蓄電池ＢＴの充放電を促すことができる。したがって、優先度付加装置１は、電力供給会社が電力基準情報ＥＤＩを定めることにより、電力供給会社が蓄電池から放電される電力の種類を制御することができる。
【００８０】
なお、上述では、電力情報ＥＩが電力系統ＥＰＳに充放電することが可能な電力を電力供給設備ＥＳＳ毎に示す情報である場合について説明したが、これに限られない。電力情報ＥＩは、電力系統ＥＰＳに充放電することが可能な電力の予測を電力供給設備ＥＳＳ毎に示す情報であってもよい。
【００８１】
本実施形態の優先度付加装置１は、電力系統ＥＰＳに充放電することが可能な電力の予測を電力供給設備ＥＳＳ毎に示す電力情報ＥＩに基づいて、指示情報ＤＲを出力する。
優先度付加装置１が出力した指示情報ＤＲを参照することにより、収集事業者ＡＧは、蓄電池ＢＴが電力系統ＥＰＳに供給することが可能な電力の計画を行うことができる。これにより、優先度付加装置１は、将来的に電力系統ＥＰＳが安定した電力の供給を行うことができるように、供給需要家に蓄電池ＢＴの充放電を指示することができる。
【００８２】
なお、上述では、電力系統ＥＰＳの電力が不足する場合、蓄電池ＢＴが放電することによって電力系統ＥＰＳの電力が消費されることを抑制する場合について説明したが、これに限られない。蓄電池ＢＴは、電力系統ＥＰＳの電力が不足する場合、蓄電池ＢＴに蓄電される電力を電力系統ＥＰＳに供給する構成であってもよい。この場合、優先度付加装置１は、蓄電池情報ＢＴＩ（この一例では、蓄電池情報ＢＴＩ１〜蓄電池情報ＢＴＩ５）に基づいて、蓄電池ＢＴが放電する電力であって、電力系統ＥＰＳに供給される電力に優先度を付加する。また、優先度付加装置１は、付加した優先度に基づいて指示情報ＤＲを生成し、蓄電池ＢＴに放電を指示する。
これにより、優先度付加装置１は、蓄電池ＢＴが放電することによって電力系統ＥＰＳの電力を適正に保つことができる。
【００８３】
なお、上記の各実施形態における優先度付加装置１が備える各部は、専用のハードウェアにより実現されるものであってもよく、また、メモリおよびマイクロプロセッサにより実現させるものであってもよい。
【００８４】
なお、優先度付加装置１が備える各部は、メモリおよびＣＰＵ（中央演算装置）により構成され、優先度付加装置１が備える各部の機能を実現するためのプログラムをメモリにロードして実行することによりその機能を実現させるものであってもよい。
【００８５】
また、優先度付加装置１が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００８６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００８７】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００８８】
１…優先度付加装置、１００…制御部、１１０…蓄電池情報取得部、１２０…電力情報取得部、１３０…電力基準情報取得部、１４０…優先度付加部、１５０…出力部、ＡＧ…収集事業者、ＢＴ、ＢＴ１、ＢＴ２、ＢＴ１００、ＢＴ１０１、ＢＴ１０２、ＢＴ１０３、ＢＴ１０４、ＢＴ１０５、ＢＴ１０６、ＢＴ１０７、ＢＴ１０８、ＢＴ１０９、ＢＴ１１０、ＢＴ１１１、ＢＴ１１２、ＢＴ１１３、ＢＴ１１４、ＢＴ１１５、ＢＴｎ…蓄電池、ＢＴＩ、ＢＴＩ１、ＢＴＩ２、ＢＴＩ３、ＢＴＩ４、ＢＴＩ５…蓄電池情報、ＡＬ…単位電力損失情報、ＣＥ…充放電効率情報、ＣＦ…充電効率情報、ＣＯ…二酸化炭素情報、ＴＣＯ…総ＣＯ２量情報、ＣＰ…契約単価情報、ＣＴ…コスト情報、ＣＹ…充放電サイクル情報、ＤＤ…劣化情報、ＦＰ…価値予測情報、ＬＳ…損失情報、ＯＰＥ…出力電力量情報、ＰＯ…可能出力情報、ＲＢ…信頼性情報、ＳＨ…カレンダー情報、ＳＰ…残存価値情報、ＴＰ…温度情報、ＴＥ…総充放電量情報、ＶＬＩ…充電価格情報、ＶＬＯ…放電価格情報、ＥＩ…電力情報、ＤＲ…指示情報、ＥＤ…電力基準情報供給装置、ＥＤＩ…電力基準情報、ＥＰＳ…電力系統、Ｕ…需要家
【図１】
2018186607.tif 000003
【図２】
2018186607.tif 000004
【図３】
2018186607.tif 000005
【図４】
2018186607.tif 000006
【図５】
2018186607.tif 000007
【図６】
2018186607.tif 000008
【図７】
2018186607.tif 000009
【図８】
2018186607.tif 000010
【図９】
2018186607.tif 000011
【図１０】
2018186607.tif 000012
【図１１】
2018186607.tif 000013
【図１２】
2018186607.tif 000014